(57)【特許請求の範囲】
【請求項１】
操作部と、画像表示をなす表示部と、前記操作部を介した信号のやり取りに応じて取引を実行する制御部と、前記操作部および前記表示部を外部に露出させつつ前記制御部を内蔵する筐体と、を含む自動取引装置であって、
前記筐体は透光性部材により閉ざされた透光性の窓部を備え、
前記窓部の背後に位置し前記窓部を介して外部の光を検知する照度センサと、
前記照度センサの出力に応じて前記表示部の輝度を制御する表示制御部と、を前記筐体内に有し、
前記窓部は後方確認ハーフミラーである
ことを特徴とする自動取引装置。
【請求項２】
前記窓部の背後に位置し前記窓部を介して外部を撮影する撮像装置をさらに有し、
前記照度センサの出力が所定閾値範囲外の場合、前記表示制御部は前記表示部の輝度をゼロとすることを特徴とする請求項１に記載の自動取引装置。
【請求項３】
前記窓部の背後に位置し前記窓部を介して外部を撮影する撮像装置をさらに有し、
前記照度センサの出力が所定閾値範囲外の場合、前記表示制御部は前記表示部に取引停止の警告表示をさせることを特徴とする請求項１に記載の自動取引装置。
【請求項４】
前記窓部の背後に位置し前記窓部を介して外部を撮影する撮像装置をさらに有し、
前記制御部は、前記撮像装置による撮像画像を解析する解析部を備え、前記解析部の出力が所定範囲外の場合、前記表示制御部は前記表示部に取引停止の警告表示をさせることを特徴とする請求項１に記載の自動取引装置。
【請求項５】
前記表示部及び前記操作部はタッチパネルであることを特徴とする請求項２乃至４のいずれか１に記載の自動取引装置。
【請求項６】
前記撮像装置は、前記照度センサの近傍に位置することを特徴とする請求項２乃至５のいずれか１に記載の自動取引装置。
【請求項７】
前記撮像装置及び前記照度センサは、手のひらで覆われる程の範囲内に位置する請求項６に記載の自動取引装置。
【発明の詳細な説明】
【技術分野】
【０００１】
本発明は、金融機関との金融取引を通信回線を介して実行する金融取引装置などの自動取引装置に関する。
【背景技術】
【０００２】
現金自動預払機（ＡＴＭ）などの自動取引装置には、表示部の視認性を向上させるために表示部の自動輝度調整を備えるものがある。例えば、照度センサを用いて表示画面の輝度を調整する自動取引装置が特許文献１に記載されている。特許文献１に記載された従来の自動取引装置において、照度センサは表示画面の脇位置に設けられている。
【先行技術文献】
【特許文献】
【０００３】
【特許文献１】特開平5-250545号公報
【発明の概要】
【発明が解決しようとする課題】
【０００４】
しかしながら、ユーザから見える表示画面の端に実装された照度センサは装置の見栄えに影響する。また、表示画面の端以外の場所に照度センサを実装する場合も、装置の外装デザイン上の制約が発生するなどの問題があった。
【０００５】
本発明は上記した問題に鑑みなされたものであり、装置の外観やそのデザインにも影響なく表示画面の自動輝度調整ができる自動取引装置を提供することを目的とする。
【課題を解決するための手段】
【０００６】
本発明の自動取引装置は、操作部と、画像表示をなす表示部と、前記操作部を介した信号のやり取りに応じて取引を実行する制御部と、前記操作部および前記表示部を外部に露出させつつ前記制御部を内蔵する筐体と、を含む自動取引装置であって、
前記筐体は透光性部材により閉ざされた透光性の窓部を備え、
前記窓部の背後に位置し前記窓部を介して外部の光を検知する照度センサと、
前記照度センサの出力に応じて前記表示部の輝度を制御する表示制御部と、を前記筐体内に有することを特徴とする。
【発明の効果】
【０００７】
本発明によれば、窓部の背後に位置する照度センサを設けた構成により、装置の外観の見栄えを悪くせず、またデザインに影響なく表示画面の自動輝度調整ができる自動取引装置を提供することができる。
【図面の簡単な説明】
【０００８】
【図１】図１は、本発明による第１の実施例の自動取引装置の外観を示す概略斜視図である。
【図２】図２は、本発明による第１の実施例の自動取引装置の概略構成を説明するブロック図である。
【図３】図３は、本発明による第１の実施例の自動取引装置における表示制御部の概略構成を説明するブロック図である。
【図４】図４は、本発明による第１の実施例の自動取引装置における表示制御部によるタッチパネルの輝度調整を説明するフローチャートである。
【図５】図５は、本発明による第２の実施例の自動取引装置における表示制御部によるタッチパネルの輝度調整を説明するフローチャートである。
【図６】図６は、本発明による第３の実施例の自動取引装置における表示制御部によるタッチパネルの動作を説明するフローチャートである。
【図７】図７は、本発明による第４の実施例の自動取引装置における制御部と表示制御部の概略構成を説明するブロック図である。
【発明を実施するための形態】
【０００９】
以下、図面を参照しつつ本発明による実施例の自動取引装置の例について説明する。なお、本発明は以下の実施例に限定されるものではない。なお、実施例において、実質的に同一の機能および構成を有する構成要素については、同一の符号を付することにより重複説明を省略する。
【実施例１】
【００１０】
図１は、本発明による第１の実施例の現金自動預払機（ＡＴＭ）の外観を示す概略斜視図である。図２は、ＡＴＭの概略構成を説明するブロック図である。
【００１１】
図１に示すようにＡＴＭ１１には、紙幣入出金口１３、カード挿入口１５と、レシート排出口１７と、タッチパネル１９と、その上に透光性部材により閉ざされた透光性窓部である後方確認ハーフミラー２１とが、筐体の外部に設けられている。後方確認ハーフミラー２１の背後側の内部には、外部からは見えないように、例えば、カメラ２３と照度センサ２５が互いに隣接して実装されているが、隣接せずに所定距離だけ離れている場合（例えば、片手若しくは両手の手のひらでカメラ２３のレンズ部分と、照度センサ２５のセンサ部分が覆われる程の距離）でも良い。カメラ２３はフォトＩＣなどから構成される撮像部すなわち撮像装置であり、後方確認ハーフミラー２１を介して外部のユーザなどを撮影して画像を取得する。照度センサ２５は、後方確認ハーフミラー２１を介して外部の光の照度（明るさ）を検知し、検知した測定値をＡ／Ｄ変換し照度データとして出力する。カメラ２３と照度センサ２５の両光学装置は、それらの光軸が窓部の後方確認ハーフミラー２１と交差するように配置されている。タッチパネル１９は、表示機能と入力機能の２つの機能を備えた操作表示部である。タッチパネル１９は例えば、画像情報を表示する液晶ディスプレイなどの表示部と、その画面に表示されたアイコンなどを手などで触れるなどにより、触れられたアイコン位置の情報を感知して入力信号として出力する入力部とからなる。
【００１２】
図２に示すように、ＡＴＭ１１内部には、カメラ２３、照度センサ２５、紙幣入出金口１３を含む紙幣処理部３３、カード挿入口１５を含むカード処理部３５、レシート排出口１７を含むレシート処理部３７および、タッチパネル１９を制御する表示制御部３９が備えられ、これら内部装置を制御する制御部４１も備えられている。なお、表示制御部３９や制御部４１には、ＣＰＵやメモリ（ＲＯＭ，ＲＡＭ）が備えられ、搭載プログラムに基づいてＣＰＵとメモリの協働により、測定データなど各種のデータの書込、読出および処理が行われる。制御部４１は、タッチパネル１９の操作部を介した信号のやり取りに応じて、金融機関との金融取引を通信回線を介して実行する。
【００１３】
図３は、ＡＴＭ１１における表示制御部３９の概略構成を説明するブロック図である。図４は、ＡＴＭ１１における表示制御部３９によるタッチパネルの輝度調整を説明するフローチャートである。
【００１４】
図３に示すように、表示制御部３９には、タッチパネル１９を制御する自動調光回路３９ａと表示データ変換回路３９ｂが内蔵されている。自動調光回路３９ａは、予め設定した照度データに対応する輝度（最も見易い輝度）をメモリの輝度テーブルに保持し、照度センサ２５から受信した照度データと輝度テーブルに基づいて、タッチパネル１９の輝度を制御する。表示データ変換回路３９ｂは、制御部４１から供給される表示データをタッチパネル１９に表示すべき情報へ変換して画像情報を表示させる制御を行う。制御部４１は、タッチパネル１９の画面で触れられたアイコン位置情報に基づいて、ユーザが望む適切な動作を内部装置に実行させる。
【００１５】
照度センサ２５で取得した照度データはｓｉｇＣ信号として自動調光回路３９ａに送られる。自動調光回路３９ａは、受信した照度データより輝度テーブルに基づいて最適に輝度を選定して、最適輝度の液晶ディスプレイのバックライト制御信号をｓｉｇＤ信号としてタッチパネル１９に送出する。
【００１６】
図４に示すように、自動調光回路３９ａは、照度センサ２５で照度データを取得する（図４：ステップＳ１）。そして、自動調光回路３９ａは、自動調光回路３９ａは、取得された照度データに対応する輝度設定値を輝度テーブルから読み出し、タッチパネル１９の輝度の設定を変更する（図４：ステップＳ２）。タッチパネル１９はｓｉｇＤ信号（図３）により、その表示部が最適輝度の状態へ変化する。
【００１７】
以上のように第１の実施例によれば、後方確認ハーフミラー２１の背後側に照度センサ２５を実装することにより、デザインに影響なく装置の外観を維持して、またタッチパネルの自動輝度調整が可能となる。
【実施例２】
【００１８】
本発明による第２の実施例の現金自動預払機（ＡＴＭ）の構成は、表示制御部３９や制御部４１に搭載されているプログラムが異なる以外、図１乃至図３に示す第１の実施例の構成と同様である。
【００１９】
第２の実施例の自動取引装置の表示動作を図３と図５のフローチャートによって説明する。
【００２０】
図３に示すように、自動調光回路３９ａは、照度センサ２５で照度データを取得する（図５：ステップＳ１）。そして、自動調光回路３９ａは、記憶されている照度範囲データと比較して、取得した照度データよる照度が所定の照度範囲内であるか、否かを判定する（図５：ステップＳ２）。当該所定の照度範囲内はカメラ２３による撮影が可能な照度範囲であり、照度範囲外はカメラ撮影不可な照度範囲である。該照度が所定の照度範囲内である場合、自動調光回路３９ａは、取得された照度データに対応する輝度設定値を輝度テーブルから読み出し、タッチパネル１９の輝度の最適設定を行う（図５：ステップＳ３）。
【００２１】
一方、自動調光回路３９ａは、該照度が所定の照度範囲外であると判定すると、今回取得された照度データが変化し続けたか、すなわち、取得照度データよる照度が所定照度範囲外の状態が所定期間内であるか、否かを判定する（図５：ステップＳ４）。当該所定期間は、ユーザが取引操作を開始するのに要する時間範囲、例えば、１０秒である。ステップＳ４は、ユーザが誤って後方確認ハーフミラー２１を手などで覆った場合の取引操作の続行を確保する。よって、自動調光回路３９ａは、所定照度範囲外の状態が所定期間内である判定すると、ステップＳ３のタッチパネル１９の輝度の最適設定を行う。
【００２２】
図５のステップＳ４において、当該所定期間を超える場合、例えば取引操作の開始において、ユーザが１１秒間、後方確認ハーフミラー２１を手などで覆う場合、図３の自動調光回路３９ａはタッチパネル１９の表示画面をＯＦＦにする信号をｓｉｇＤ信号として送出する（図５：ステップＳ５）。よって、タッチパネル１９の画面ＯＦＦにより、取引停止となる。
【実施例３】
【００２３】
本発明による第３の実施例の現金自動預払機（ＡＴＭ）は、図３に示す表示制御部３９や制御部４１に搭載されているプログラムが異なる以外、図１乃至図３に示す第１の実施例の構成と同様である。
【００２４】
図６は、第３の実施例の自動取引装置における表示制御部によるタッチパネルの輝度調整を説明するフローチャートである。なお、図６のフローチャートは、ステップＳ４より後のステップが異なる以外、図５のフローチャートと同一である。よって、第３の実施例については、第２の実施例と異なる部分を主に説明する。
【００２５】
図６のフローチャートのステップＳ４において、所定期間を超えて、取得した照度データよる照度が所定の照度範囲外である場合、自動調光回路３９ａは、ｓｉｇＥ信号（図３）として制御部４１に照度範囲外であることを通知する。制御部４１は、自動調光回路３９ａから照度範囲外の通知を受けると、予め記憶されている取引停止の警告表示データをｓｉｇＡ信号として表示データ変換回路３９ｂへ送出する。そして、表示データ変換回路３９ｂは警告表示データを変換して、ｓｉｇＢ信号としてタッチパネル１９へ送出し、「取引停止」などの警告画像情報をタッチパネル１９に表示させる（図６：ステップＳ５Ａ）。これよって、取引停止となる。
【００２６】
以上のように第２および第３の実施例によればカメラ２３に隣接して実装された照度センサ２５の照度データに応じて、画面ＯＦＦまたは警告表示で取引停止することにより、カメラ画像が取得されない事象を防止することができる。これによって、後方確認ハーフミラーに隠れているカメラによる撮影をユーザが逃れるために該ミラーを遮った場合に取引停止になり、不正行為防止に役立つ。
【実施例４】
【００２７】
本発明による第４の実施例の現金自動預払機（ＡＴＭ）の構成は、表示制御部３９や制御部４１に搭載されているプログラムが異なると共に、制御部４１が撮像部のカメラ２３による撮像画像を解析する解析部４１ａを有する以外、図１乃至図３に示す第１の実施例の構成と同様である。
【００２８】
図７は、第４の実施例の現金自動預払機における制御部４１と表示制御部３９の概略構成を説明するブロック図である。
【００２９】
図７の自動調光回路３９ａは、所定期間を超えて、照度センサ２５で取得した照度データよる照度が所定の照度範囲外である場合、ｓｉｇＥ信号として制御部４１に照度範囲外であることを通知する。制御部４１は、自動調光回路３９ａから照度範囲外の通知を受けると、解析部４１ａにカメラ２３からの撮像画像を解析させる。解析部４１ａは、画像全体が真っ暗すなわち画像全体の輝度データの平均が所定閾値以下の所定範囲外の場合、予め記憶されている取引停止の警告表示データをｓｉｇＡ信号として表示データ変換回路３９ｂへ送出する。そして、表示データ変換回路３９ｂは警告表示データを変換して、ｓｉｇＢ信号としてタッチパネル１９へ送出し、「取引停止」などの警告画像情報をタッチパネル１９に表示させる。これよって、取引停止となる。
【００３０】
以上のように第４の実施例によっても、カメラ２３と照度センサ２５の輝度データと照度データに応じて、警告表示で取引停止することにより、カメラ画像が取得されない事象を防止することができる。
【符号の説明】
【００３１】
１１  ＡＴＭ
１３  紙幣入出金口
１５  カード挿入口
１７  レシート排出口
１９  タッチパネル
２１  後方確認ハーフミラー
２３  カメラ
２５  照度センサ
３９  表示制御部
４１  制御部
【図１】
0006672887.tif 000002
【図２】
0006672887.tif 000003
【図３】
0006672887.tif 000004
【図４】
0006672887.tif 000005
【図５】
0006672887.tif 000006
【図６】
0006672887.tif 000007
【図７】
0006672887.tif 000008